(57)【要約】【課題】  出会いの初期段階においては相手に重要な個人情報を認知されることなく、利用者相互間、特に男女相互間で趣味嗜好が一致する出会いの可能性を向上させ、且つ、後にインターネットを介してメッセージの交換等を可能とすることにより、利用者の出会いを支援・提供する。【解決手段】  趣味嗜好が一致する各利用者が近接すると告知するとともに、出会い情報の履歴を保存する履歴情報保存部１１ｂを備えたＵＳＢポート付出会い支援装置１１と、各利用者が使用し、インターネットを介して出会い情報・メッセージ情報等の送受信を行なうＰＣ端末１０２と、各種情報の記憶又は管理等を行なう会員センター１０３とを具備する。【選択図】図１
2009026178.tif 000002
【特許請求の範囲】
【請求項１】
不特定多数の利用者が携帯する出会い支援装置であって、ある一方の利用者が自己の趣味嗜好の識別方法を設定する設定部と、前記趣味嗜好の識別信号を送信する送信部と、他方の利用者が携帯する出会い支援装置に設けられた送信部から送信された識別信号を受信し、前記他方の利用者によって送信された識別信号と一方の利用者によって設定された趣味嗜好の識別信号とが一致することを選定する同調回路を備える受信部と、趣味嗜好が一致した場合に両利用者に告知する告知部とを具備するとともに、前記識別信号を受信することにより両利用者の近接を検出し、趣味嗜好が一致する利用者同士が近接することを前記告知部により利用者に告知することを特徴とする出会い支援装置。
【請求項２】
前記告知部が発光装置からなり、前記設定部で設定された趣味嗜好の識別方法が発光の点滅速度又は発光色であることを特徴とする請求項１に記載の出会い支援装置。
【請求項３】
前記請求項１に記載の出会い支援装置の構成にＵＳＢポート及び履歴情報保存部が付加されたＵＳＢポート付出会い支援装置と、前記ＵＳＢポート付出会い支援装置の利用者が使用するとともに、インターネットに接続可能な端末と、インターネットを介して前記端末と情報の送受信が可能なサーバコンピュータとを備えている出会い支援システムであって、
前記ＵＳＢポート付出会い支援装置が、
前記端末に備えられたＵＳＢコネクタに接続するためのＵＳＢポートと、趣味嗜好が一致する各利用者間の出会い情報の履歴を保存することが可能な履歴情報保存部とを備えており、
前記端末が、
前記サーバコンピュータに記憶されている情報を受信することができるとともに、前記サーバコンピュータに情報を送信することができるブラウズ手段と、前記ＵＳＢポート付出会い支援装置を差込可能なＵＳＢコネクタとを備えており、
前記サーバコンピュータが、
前記利用者に関する情報を記憶する会員情報記憶部と、趣味嗜好が一致した各利用者間における出会い情報を記憶する出会い情報記憶部と、各利用者が送受信したメッセージ及びメモ情報を記憶メッセージ・メモ記憶部と、前記端末から入力された情報の各記憶部への登録、各利用者の認証、又は各記憶部に記憶されている情報の検索等を行なうデータベース管理手段と、Ｗｅｂページを介して前記端末から入力された各種情報の前記データベース管理手段への伝達、又はデータベース管理手段から出力されたＷｅｂページの生成等を行なう入出力手段とを備えていることを特徴とする出会い支援システム。
【発明の詳細な説明】
【技術分野】
【０００１】
本発明は、出会いの初期段階においては相手に個人情報を認知されることなく、利用者相互間、特に男女相互間で趣味嗜好が一致する出会いの可能性を向上させ、且つ、後にインターネットを介してメッセージの交換等を可能とすることにより、利用者の出会いを支援することが可能な出会い支援装置及び出会い支援システムに関する。
【背景技術】
【０００２】
戸外、特に繁華街等において単独或いは同姓同士で過ごしている場合には、面識のない異性或いは同姓との会話、食事、映画又はドライブ等を共にしたいとの願望を持つことがある。また、パーティー会場等においても趣味嗜好が一致する同姓又は異性と知り合いたいとの願望を持つ者も多い。そして従来、そのような出会いを支援することを目的とした装置又はシステムが提供されている。
【０００３】
例えば、第１のユーザーが携帯し、自己のキー・データ又は自己が出会いたい人・連絡したい人に関するキー・データを記録手段と、エリア内に連絡する送信手段とを有する第１の移動体通信端末と、第２のユーザーが自己のキー・データ又は自己が出会いたい人・連絡したい人に関するキー・データを記録する記録手段と、第１の通信端末から無線送信されたキー・データを受信する受信手段と、該キー・データが第２のユーザーに関するキー・データと一致しているとき、第２のユーザーに知らせる告知手段と有する第２の移動体通信端末を備えることにより、「偶然に近くに居る」というチャンスを逃さずにフェイス・ツーフェイスの出会いを実現できる出会い・連絡支援システムが提供されている（特許文献１）。
【０００４】
また、マッチングシステムに所定時間毎に位置情報を算出するＧＰＳ測位部と、携帯通信端末間で近距離通信を行い、相手の識別情報を取得する近距離通信部と、携帯通信端末の位置情報が所定空間に位置する場合にはマッチングモードへと移行し、相手の識別情報及び自己の識別情報を情報サーバのデータベースにて参照し、相手のプロフィール情報に対する自己のマッチング条件に一致するマッチング度を判定し送信することにより、好みの場所で普段すれ違う程度の身近な人の中から、仲間を簡易に探すことのできるマッチングシステムが提供されている（特許文献２）。
【０００５】
また、互いに行為を持ち合う者同士二人が、同時にお互いを指定して信号発信した場合、それを第三者に知られることなく、双方でその信号を感知し、反応動作を起こして意思疎通を行なうことができ、且つ安価で遊びやゲーム感覚で手軽に使用することのできる相互意思一致感知端末装置が提供されている（特許文献３）。
【特許文献１】特開２０００−１６７２３３号公報
【特許文献２】特開２００６−１７２２２３号公報
【特許文献３】特開２００４−３５７２６３号公報
【発明の開示】
【発明が解決しようとする課題】
【０００６】
しかしながら、特許文献１に記載の技術では、自己のキー・データ及び相手のキー・データが一致した場合、例えば、互いのキー・データが「クラシック音楽が趣味」であった場合には、自己の移動携帯端末の告知手段によって趣味が一致する旨を知らせてくれるものの、同時に自己の電話番号等の重要な個人情報が相手の移動携帯端末に送信されてしまうため、後の連絡手段としての活用が可能となるものの、面識のない相手に自己の重要な個人情報が認知されてしまうという問題があった。また、仮に個人情報の送信を行なわないように設定したとしても、後の連絡手段がなくなるため出会いの機会が阻害されてしまう。
【０００７】
また、上述のように「趣味」等のキー・データが一致すれば利用者にその旨が告知されるが、利用者は自己のキー・データを所定期間毎、例えば１ヶ月毎に設定するために出会いの機会に柔軟性がない。すなわち、その時々において異性或いは同姓との会話、食事、映画又はドライブ等を共にしたいとの願望に対処できないという問題があった。
【０００８】
さらに、ある程度の知人が近傍にいる場合に、「趣味のサークル」等のキー・データが一致すれば、その旨が利用者に告知されるということが当該技術の主目的となっており、上述の重要な個人情報の送信という問題点から新たな出会いの機会が制限されるという問題もあった。
【０００９】
また、特許文献２に記載の技術では、上記特許文献１と同様の問題点とともに、好みの場所で普段すれ違う程度の身近な人から出会いを探すことは可能であるが、繁華街等において面識がなく趣味嗜好が一致する者との出会いを支援することができないという問題があった。
【００１０】
また、特許文献３の記載の技術では、男女相互間の意思の一致を感知することは可能であるが、趣味嗜好の一致等を告知する手段がないために、ある程度会話した後か、或いは第一印象でしか相手を判断できないという問題があった。また、繁華街等の戸外における新たな出会い支援には使用することができず、使用場所がパーティー会場等の所定の空間に限定されるという問題があった。
【課題を解決するための手段】
【００１１】
上記課題を解決するために、本発明は次のように構成した。すなわち、本発明に係る請求項１に記載の出会い支援装置は、不特定多数の者が携帯する出会い支援装置であって、一方の利用者が自己の趣味嗜好の識別手段を設定する設定部と、前記趣味嗜好の識別信号を送信する送信部と、他方の利用者が携帯する出会い支援装置に設けられた送信部から送信された識別信号を受信し、前記他方の利用者によって送信された識別信号と一方の利用者が設定した趣味嗜好の識別信号とが一致することを選定する同調回路を備えた受信部と、趣味嗜好が一致した場合に両利用者に告知する告知部とを具備するとともに、前記識別信号を受信することにより両利用者の近接を検出し、趣味嗜好が一致する利用者同士が近接することを前記告知部により告知することを特徴とする。
【００１２】
また、請求項２に記載の出会い支援装置は、前記請求項１に記載の出会い支援装置の内、告知部が発光装置からなり、前記設定部で設定された趣味嗜好の識別方法が発光の点滅速度又は発光色であることを特徴とする。
【００１３】
また、請求項３に記載の出会い支援システムは、前記請求項１に記載の出会い支援装置の構成にＵＳＢポート及び履歴情報保存部が付加されたＵＳＢポート付出会い支援装置と、前記ＵＳＢポート付出会い支援装置の利用者が使用するとともに、インターネットに接続可能な端末と、インターネットを介して前記端末と情報の送受信が可能なサーバコンピュータとを備えている出会い支援システムであって、前記ＵＳＢポート付出会い支援装置が、前記端末に備えられたＵＳＢコネクタに接続するためのＵＳＢポートと、趣味嗜好が一致する各利用者間の出会い情報の履歴を保存することが可能な履歴情報保存部とを備えており、前記端末が、前記サーバコンピュータに記憶されている情報を受信することができるとともに、前記サーバコンピュータに情報を送信することができるブラウズ手段と、前記ＵＳＢポート付出会い支援装置を差込可能なＵＳＢコネクタとを備えており、前記サーバコンピュータが、前記利用者に関する情報を記憶する会員情報記憶部と、趣味嗜好が一致した各利用者間における出会い情報を記憶する出会い情報記憶部と、各利用者が送受信したメッセージ及びメモ情報を記憶メッセージ・メモ記憶部と、前記端末から入力された情報の各記憶部への登録、各利用者の認証、又は各記憶部に記憶されている情報の検索等を行なうデータベース管理手段と、Ｗｅｂページを介して前記端末から入力された各種情報の前記データベース管理手段への伝達、又はデータベース管理手段から出力されたＷｅｂページの生成等を行なう入出力手段とを備えていることを特徴とする。
【発明の効果】
【００１４】
請求項１に記載の出会い支援装置によれば、出会いの初期段階においては相手に重要な個人情報を認知されることなく、利用者相互間、特に男女相互間で趣味嗜好が一致する出会いの可能性を向上させることができる。
【００１５】
また、請求項２に記載の出会い支援装置によれば、発光装置から発せられる光の点滅速度又は発光色によって、互いの近接が利用者の視覚に直接的に告知されることから、音や出会い支援装置を振動させる告知よりも、利用者の心の高揚を誘引させ、より出会いの可能性の向上効果を得ることができる。
【００１６】
また、請求項３に記載の出会い支援システムによれば、上記出会い支援装置によって出会った各利用者が、後にインターネットを介してメッセージの交換等を可能とすることにより、利用者間をより親密にさせる出会いの場を支援することが可能となる。
【発明を実施するための最良の形態】
【００１７】
以下、図面に基づいて本発明を具体的に説明する。図１は、本発明に係る出会い支援装置１の構成を示すブロック図である。本発明に係る出会い支援装置１は、携帯電話のストラップ等として使用可能な程度の大きさの微弱電波機器或いは小電力無線機等からなり、趣味嗜好の識別方法を設定する設定部２、前記設定部２で設定された趣味嗜好の信号を送信する送信部３、不特定多数の者から送信された信号を受信する受信部４及び近傍に趣味嗜好等が一致する異性等がいることを告知する告知部５から構成される。
【００１８】
設定部２は、利用者が自己の趣味嗜好を識別するための電波の送受信周波数を設定するものである。また、利用者が単純に異性との出会いを求めている場合には、告知部５の告知パターン、例えば、告知手段が発光によるものであれば、発光の点滅速度又は発光色等のみを設定し、繁華街等の戸外で相手も同様に単純に異性との出会いを求めていた場合には、告知部５が発光し利用者に告知する。例えば、「発光パターンの点滅速度が速ければ、より強く異性との出会いを求めている。」等の任意の設定が可能である。該設定部２は、スイッチ又はダイヤル等、種々の趣味嗜好選択肢を選定可能なものであれば何でもよい。
【００１９】
送信部３は、発振器３ａ、逓倍器３ｂ及び増幅器３ｃから構成される。送信部３は、設定部２において設定された周波数を発振器３ａによって発振させ、逓倍器３ｂ及び増幅器３ｃにより周波数を安定及び増幅させた後、空中線から信号を無線送信する。また、受信部４は、同調回路４ａを具備しており、空中線で受信した電波によって利用者の近接を検出するとともに、設定部２で設定した周波数と一致する他の利用者から送信された電波を選定する。
【００２０】
告知部５は、受信部４の同調回路４ａによって選定され、趣味嗜好が一致する他の利用者によって送信された同一周波数の電波を受信した旨を告知する出力回路５ａを備えている。該出力回路５ａはＬＥＤ等の発光装置によって構成され、趣味嗜好が一致する異性等が近接した場合には発光して利用者に告知する。上述のように、利用者が単純に異性との出会いを求めている場合等には、発光パターン、例えば点滅速度又は発光色により、利用者の出会いを求める感情の強さを表すことも可能である。
【００２１】
また、告知部５による告知手段は、ＬＥＤ等の発光装置による発光に限られるものではなく、ブザー等の音を出力してもよく、或いは出会い支援装置１を振動させることによって告知してもよい。
【００２２】
図２は、利用者が本発明に係る出会い支援装置１を使用している状態を説明する模式図である。出会い支援装置１の利用者Ａが男性であって、利用者Ｂが女性であり、趣味嗜好を識別する発振周波数が、仮に１０００ｋＨｚ＝「ドライブに付き合ってほしい。」、１２００ｋＨｚ＝「ドライブに誘ってほしい。」と設定されている。ここで、利用者Ａは繁華街等で自動車を運転中にドライブに行きたい女性を探しており、また利用者Ｂは繁華街等で歩行中にドライブに連れて行ってくれる男性を探していたとする。
【００２３】
このとき、出会い支援装置１の利用者Ａ及び利用者Ｂが所定の距離以内に近づくと、互いの受信部が夫々送信された電波を受信して近接を検出し、同調回路４ａにより送信周波数及び設定周波数が一致することを識別する。そして、夫々の告知部５の出力回路５ａであるＬＥＤが発光し、利用者Ａ及び利用者Ｂに告知する。また、ここで発光パターンの点滅速度や光の強弱を調節すれば、蛍の求愛活動のように、お互いの出会いへの願望の強さの度合いも表現することが可能である。
【００２４】
また、利用者Ａ及び利用者Ｂが単純に出会いを求めている場合には、出会い支援装置１に任意の単一の信号を送受信させ、発光パターンのみを調節することにより、お互いの出会いへの感情の強さのみを表現することも可能である。
【００２５】
告知部５による告知手段は、上述したように、発光に限られるものではなく、ブザー等の音を出力してもよく、或いは出会い支援装置１を振動させることによって告知してもよい。
【００２６】
以上のように構成することにより、出会いの初期段階においては相手に重要な個人情報を認知されることなく、利用者相互間、特に男女相互間で趣味嗜好が一致する出会いの可能性を向上させることが可能となる。
【００２７】
しかしながら、上述の出会い支援装置１が利用者相互間の趣味嗜好の一致及び利用者の近接により繁華街等で発光したとしても、急な用事で急いでいる場合や男性利用者がシャイな場合等には、その場で声を掛けることができない場合もある。そこで、請求項３に記載の出会い支援システム１０１を提供し、以下に説明する。
【００２８】
図３は、出会い支援システム１０１の構成を示す図である。該出会い支援システム１０１は、利用者のＰＣ端末１０２と、会員センター１０３と、ＵＳＢポート付出会い支援装置１１とから構成される。
【００２９】
ＰＣ端末１０２は、ブラウズ手段（図示せず。）を備えたパソコンであり、ブラウズ手段は、インターネットを通じて会員センター１０３に蓄積されているデータを受信、閲覧及び印刷することができるとともに、会員センター１０３にデータを送信、入力及び登録させることもできる。また、ＰＣ端末１０２は、通常のＵＳＢメモリやＵＳＢポート付出会い支援装置１１等を差込可能なＵＳＢコネクタ１０２ａを備えている。
【００３０】
なお、端末ＰＣ１０２は、データをモニタに表示する手段、インターネットに接続する手段など通常のパソコンが備えている各種手段を備えている。また、図３に示したように、モニタやキーボード等の通常のパソコンが備えているハードウェアも備えている。
【００３１】
会員センター１０３は、サーバコンピュータであって、各種演算を行う演算装置１０４及び各種情報等を記憶する記憶装置１０５から構成される。また、記憶装置１０５は、表形式で情報を記憶する各種記憶部及び情報処理を行なう各種手段等を具備しており、これらの内容については以下に説明する。
【００３２】
なお、ここでいう手段とは実行可能な形式で記憶されたプログラムのことである。また、会員センター１０３は、データをモニタに表示する手段、インターネットに接続する手段など通常のサーバが備えている各種手段を備えている。また、図示していないものの、モニタやキーボード等の通常のサーバが備えているハードウェアも備えている。
【００３３】
会員情報記憶部１０５ａは、ＵＳＢポート付出会い支援装置１１を利用する者の情報を記憶しており、具体的には、利用者毎に設定されたＩＤ、パスワードなどの認証に関する情報、利用者の電話番号及びメールアドレス等の利用者の属性に関する情報を表形式で利用者毎に記憶している。初めての利用者が自己のＰＣ端末１０２を介して、パスワード又は自己の属性に関する情報等を入力すると、会員センター１０３は、該情報等を会員情報記憶部１０５ａに記憶させ、利用者の会員登録を行なう。
【００３４】
出会い情報記憶部１０５ｂは、繁華街等の戸外で趣味嗜好等が一致する異性等と利用者が近接した「出会った時刻」及び「出会った相手ＩＤ」を表形式で利用者毎に記憶している。
【００３５】
メッセージ・メモ記憶部１０５ｃは、各利用者が送受信したメッセージ及びメッセージ相手に関するメモ等の情報を記憶している。具体的には、メッセージ相手に送信したメッセージ情報、メッセージ相手から受信したメッセージ情報並びにメッセージ相手の特徴、例えば、体型や顔の印象等のメモ情報及びメッセージ相手から送信されたアピール文を記憶している。なお、ここでいうメッセージ相手とは、繁華街等の戸外で上記ＵＳＢポート付出会い支援装置１１の告知によって出会った相手である。
【００３６】
データベース管理手段１０５ｄは、会員情報記憶部へのＩＤ及びパスワード設定による会員登録、利用者会員が会員センターに接続する際のＩＤ及びパスワードによる認証、又は利用者がＰＣ端末１０２から入力したメッセージ等の情報の登録等を行なう。
【００３７】
入出力手段１０５ｅは、Ｗｅｂページを介してＰＣ端末１０２から入力された各種情報のデータベース管理手段１０５ｄへの伝達、又はデータベース管理手段１０５ｄから出力されたＷｅｂページの生成等を行なうものであり、所謂Ｗｅｂサーバソフトウェア又はミドルウェアと呼ばれるものである。
【００３８】
ＵＳＢポート付出会い支援装置１１は、上記出会い支援装置１で説明した設定部２、送信部３、受信部４及び告知部５を具備するとともに、図３中の拡大図部分で示したように、ＵＳＢポート１１ａ及び履歴情報保存部１１ｂが設けられている。該履歴情報保存部１１ｂには、利用者の自己のＩＤ情報とともに、繁華街等の戸外で近接して「出会った時刻」及び「出会った相手ＩＤ」情報の履歴情報が保存される。
【００３９】
利用者は、繁華街等の戸外で「出会った時刻」及び「出会った相手ＩＤ」の履歴情報が履歴情報保存部１１ｂに保存されたＵＳＢポート付出会い支援装置１１のＵＳＢポート１１ａをＰＣ端末１０２に設けられたＵＳＢコネクタ１０２ａに差込む。そして、ＰＣ端末１０２からインターネットを介して会員センター１０３に接続し、履歴情報保存部１１ｂに保存された各種情報を会員センター１０３に送信する。具体的には、以下に図４を用いて詳細に説明する。
【００４０】
図４は、出会い支援システム１０１の動作を説明する図である。（１）利用者Ａは、繁華街等の戸外で「出会った時刻」及び「出会った相手ＩＤ」の履歴情報が保存されたＵＳＢポート付出会い支援装置１１のＵＳＢポート１１ａを、利用者のＰＣ端末１０２に設けられているＵＳＢコネクタ１０２ａに差込む。利用者Ａは、ＰＣ端末１０２からインターネットを介して会員センター１０３のＩＤ及びパスワード入力画面に接続し、利用者Ａ固有のＩＤ「１２３４」及びパスワードを入力する。
【００４１】
（２）会員センター１０３は、データベース管理手段１０５ｄが会員情報記憶部１０５ａに記憶された会員情報を参照し、利用者Ａによって入力されたＩＤ及びパスワードの認証を行った後、利用者Ａが正当な利用者であれば会員センター１０３内へのログインを許可する。
【００４２】
（３）会員センター１０３へのログインが許可された利用者Ａは、履歴情報保存部１１ｂに保存された履歴情報をＰＣ端末１０２及びインターネットを介して会員センター１０３に送信する。会員センター１０３は、出会い情報記憶部１０５ｂに履歴情報を読み取り保存する。
【００４３】
（４）履歴情報を読み取った会員センター１０３は、履歴情報保存部１１ｂに保存された相手方ＩＤが実在する会員ＩＤであるかを検証した後、利用者Ａに対して、メッセージ機能及びメモ機能のサービスを提供する。
【００４４】
（５）利用者Ａは、上記メッセージ機能を活用し、繁華街等の戸外で出会い履歴情報保存部１１ｂに保存された中で気に入った相手ＩＤに対してメッセージを送信する。ここでは、利用者Ａが１０時５分に出会った相手ＩＤ「５６７８」に対するメッセージを会員センター１０３へ送信する。
【００４５】
（６）会員センター１０３は、利用者Ａから会員センター１０３に送信されたＩＤ「５６７８」に対するメッセージをデータベース管理手段１０５ｄにより、メッセージ・メモ記憶部１０５ｃに保管する。
【００４６】
（７）、（８）及び（９）一方、利用者Ｂも、利用者Ａと同様に、ＵＳＢポート付出会い  支援装置１１のＵＳＢポート１１ａを、利用者のＰＣ端末１０２に設けられているＵＳＢコネクタ１０２ａに差込んで、ＰＣ端末１０２からインターネットを介して会員センター１０３のＩＤ及びパスワード入力画面に接続し、利用者Ｂ固有のＩＤ「５６７８」及びパスワードを入力して会員センター１０３内にログインする。そして、会員センター１０３には、履歴情報保存部１１ｂに保存された「出会った時刻」及び「出会った相手ＩＤ」が送信される。
【００４７】
（１０）また、履歴情報を読み取った会員センター１０３は、利用者Ｂが利用するＵＳＢポート付出会い支援装置１１の履歴情報保存部１１ｂに保存された相手方ＩＤが実在する会員ＩＤであるかを検証した後、利用者Ｂに対して、メッセージ機能及びメモ機能のサービスを提供するが、利用者Ｂには、それとともに利用者Ａからの自分宛メッセージがある旨の通知が同時になされる。
【００４８】
（１１）利用者Ａからのメッセージを受信した利用者Ｂは、利用者Ａに対して返信メッセージを送信する。なお、利用者Ｂが利用者Ａに対して好意を抱いていない場合には、返信メッセージを送信する必要はない。
【００４９】
利用者Ｂから利用者Ａに対して送信された返信メッセージついては、上記利用者Ｂと同様に、利用者Ａに対して返信メッセージがある旨の通知がなされ、これらの処理を繰り返すことにより、利用者Ａ及び利用者Ｂ間でお互いにメッセージの交換が可能となる。
【００５０】
上述のように、利用者Ａ及び利用者Ｂ間でのメッセージ交換を繰り返し、お互いに夫々気に入れば、本名を明かしたり、お互いの電話番号又はメールアドレスの交換等をしたりすることにより、利用者Ａ及び利用者Ｂ間の親密度が進展する。これにより、初期段階では重要な個人情報を知られることなく、趣味嗜好の一致する異性等との出会いの機会を支援することが可能となる。
【００５１】
また、後に気に入った相手に対してメッセージを送信したい場合には、ＩＤ検索（図示しない。）によって気に入った相手ＩＤを検索し、メッセージを送信することも可能である。
【００５２】
また、ＰＣ端末１０２の他にも、インターネットに接続でき、且つＵＳＢポートが設けられている移動携帯端末等の機器であれば、本発明に係る出会い支援システム１０１の利用は可能である。
【００５３】
図５は、利用者ＡのＰＣ端末１０２のモニタに表示されるメッセージ機能画面１１０及び利用者ＢのＰＣ端末１０２のモニタに表示されるメッセージ機能画面１１１を説明する図である。本発明に係る出会い支援システムでは、所謂出会い系サイトとは異なり、利用者相互に繁華街等の戸外で一度すれ違っているか或いは面識があるため、また趣味嗜好が一致する者同士であるため、親近感が沸き易く、お互いにメッセージの送信が気兼ねなく容易となる。
【００５４】
メッセージ機能画面１１０は、上記図４に示したフロー図における利用者ＡのＰＣ端末１０２のモニタに表示されたメッセージ機能画面である。本実施例において、メッセージ機能画面１１０には、出会った「時刻」欄、出会った「相手ＩＤ」欄、「メッセージ記入」欄及び「送信」ボタン欄が設けられている。
【００５５】
利用者Ａは、１０時５分に出会った相手であるＩＤ「５６７８」に対してメッセージを送信したい場合には、該当するメッセージ記入欄に「一度お会いしませんか？」等のメッセージを記入し、該当する送信ボタン１１０ａをクリックしてメッセージを送信する。
【００５６】
メッセージ機能画面１１１は、上記図４に示したフロー図における利用者ＢのＰＣ端末１０２のモニタに表示されたメッセージ機能画面であり、利用者Ａのメッセージ機能画面１１０と同様に各欄が設けられている。また、１０時５分に出会ったＩＤ「１２３４」欄には、該ＩＤから自己宛にメッセージが届いている旨が表示されている。
【００５７】
利用者Ｂは、メッセージが届いている旨に続いて表示された「読む」リンクをクリックすることで利用者Ａからの自分宛メッセージを詳細に読むことができる。そして、利用者Ｂは、利用者Ａに対してメッセージを返信したい場合には、該当するメッセージ記入欄に「では、今度の土曜日に梅田で会いましょう。」等のメッセージを記入し、該当する送信ボタン１１１ａをクリックしてメッセージを返信することができる。
【００５８】
図６は、利用者ＡのＰＣ端末１０２のモニタに表示されたメモ機能画面１１２を説明する図である。本実施例において、メモ機能画面１１２には、出会った「時刻」欄、出会った「相手ＩＤ」欄、「相手からのＰＲ」欄、「メモ」欄及び「送信」ボタン欄が設けられている。「相手からのＰＲ」欄には、利用者Ｂから送信された自己のアピール文が表示される。例えば、利用者Ｂが「梅田界隈。黒のミニスカートです。」と会員センター１０３内の利用者Ａのメモ機能画面１１２に登録しておくことにより、利用者Ｂは、利用者Ｂに対して好意があることをアピールすることができるとともに、利用者Ａは、他に出会った利用者に比べて利用者Ｂについて想起し易く、また利用者Ｂに対しての親近感も沸く。
【００５９】
また、「メモ」欄には、利用者Ａが繁華街等の戸外で出会った利用者の特徴等を記入することができる。例えば、利用者Ａが相手ＩＤ「５６７８」に該当する「メモ」欄に「グラマー」等を記録することにより、気に入った相手ＩＤ「５６７８」の特徴を忘却することなく、以降の相手ＩＤ「５６７８」とのメッセージ交換等の交流に貢献することが可能となる。
【００６０】
また、「送信」ボタン欄の送信ボタンは、出会った相手ＩＤに対して自己のアピール文を送信する場合に、例えば、相手ＩＤ「５６７８」に対して自己のアピール文を送信したい場合には、「自己のアピール文記入」欄（図示せず。）に自己のアピール文を記入し、該当する送信ボタン１１２ａをクリックすることにより、自己のアピール文を送信し、相手ＩＤ「５６７８」の「相手からのＰＲ」欄に自己のアピール文を登録することができる。上記の各欄は、上記に記載された「メモ」欄等に限定されるものではなく、任意に設定可能である。
【００６１】
以上のように構成することにより、出会いの初期段階においては相手に重要な個人情報を認知されることなく、利用者相互間、特に男女相互間で趣味嗜好が一致する出会いの可能性を向上させ、且つ、後にインターネットを介してメッセージの交換等を可能とすることにより、利用者の出会いの機会を支援することが可能となる。
【００６２】
上記実施例の出会い支援装置１では、電波の送受信が全二重の伝送だったが、送受信の周波数を単一とし、適時送信と受信とを切り替えることで自己の趣味嗜好の送信と、他者の近接の感知を行なってもよい。また、出会い支援装置１を電信送信機で構成し、電信符号送信時以外は受信状態とするブレークスルー方式を採用するとともに、送信符号で趣味嗜好を識別してもよい。さらに、趣味嗜好を識別する信号を変調し、受信機側で復調するような方式を採用してもよい。
【００６３】
また、上記実施例の出会い支援装置１では、送受信する電波のみで利用者間の近接を検出していたが、赤外線で利用者間の近接を検出してもよく、また電波及び赤外線を併用することで近接を検出してもよい。
【００６４】
また、上記実施例の出会い支援装置１では、利用者間の近接を検出した場合には即座に告知部５が発光して該近接を告知していたが、即座に告知部５を発光させる必要はなく、一旦振動や文字等で接近を告知するようにしてもよい。すなわち、振動等により趣味嗜好が一致する者の近接を認知した利用者は、近接する相手の利用者の外見等が自己の好みであるかを判断してから告知部５を発光させる２ステップ化の構成にしてもよい。
【００６５】
また、上記実施例の出会い支援システム１０１では、ＰＣ端末はパソコンを使用したが、これ以外の専用端末、ゲーム機、携帯可能なＰＤＡ等であってもよく、会員センター１０３の各種記憶部又は手段が複数のコンピュータの記憶装置に分散配置されていてもよい。
【産業上の利用可能性】
【００６６】
上記実施例の出会い支援システム１０１では、近接して出会った相手との１対１のコミュニケーションの場を提供したが、不特定多数の者が利用する出会い支援システム１０１では、趣味嗜好が一致する者が多数寄り集まることから、趣味嗜好が一致する者によるコミュニティーの発生の場にすることも可能である。
【図面の簡単な説明】
【００６７】
【図１】本発明に係る出会い支援装置の構成を示すブロック図である。
【図２】出会い支援装置の使用態様を説明する模式図である。
【図３】出会い支援システムの構成を示す図である。
【図４】出会い支援システムの動作を説明する図である。
【図５】出会い支援システムにおけるメッセージ機能を説明する図である。
【図６】出会い支援システムにおけるメモ機能を説明する図である。
【符号の説明】
【００６８】
１        出会い支援装置
２        設定部
３        送信部
３ａ      発振器
３ｂ      逓倍器
３ｃ      増幅器
４        受信部
４ａ      同調回路
５        告知部
５ａ      出力回路
１１      ＵＳＢポート付出会い支援装置
１１ａ    ＵＳＢポート
１１ｂ    履歴情報保存部
１０１    出会い支援システム
１０２    ＰＣ端末
１０２ａ  ＵＳＢコネクタ
１０３    会員センター
１０４    演算装置
１０５    記憶装置
１０５ａ  会員情報記憶部
１０５ｂ  出会い情報記憶部
１０５ｃ  メッセージ・メモ記憶部
１０５ｄ  データベース管理手段
１０５ｅ  入出力手段
１１０    メッセージ機能画面
１１０ａ  送信ボタン
１１１    メッセージ機能画面
１１１ａ  送信ボタン
１１２    メモ機能画面
１１２ａ  送信ボタン
【図１】
2009026178.tif 000003
【図２】
2009026178.tif 000004
【図３】
2009026178.tif 000005
【図４】
2009026178.tif 000006
【図５】
2009026178.tif 000007
【図６】
2009026178.tif 000008